(57)【要約】【課題】球面収差量を選択でき（よってＤＯＦの増加も選択でき）、像形成に対し他の収差による悪影響を増加させることもない。【解決手段】開示されている拡張被写界深度（ＤＯＦ）撮像システム（１０）は、光学系（２０）が選択的に球面収差量を有することにより対応した拡張焦点深度（ＤＯＦ’）を有する。撮像システムは、原画像を処理しコントラストを向上させることにより処理された画像を生成する画像処理部（５４）を有する。画像処理は、利得関数（Ｇ）とデフォーカス量を用いてデフォーカスされた変調伝達関数（ＭＴＦｓ）を回復することを含む。撮像システムは、撮像物体に照射し、光学系と物体間の距離（ＤＨ）を判断する照射システム（６０）を有していてもよい。距離ＤＨはＭＴＦの回復に用いられる。向上されたＤＯＦ撮像システムに基づく虹彩認証（Ｉ−Ｒ）システムもまた開示されている。ＤＯＦ撮像システムで使用される光学系の実施例も開示されている。
2010524073.tif 000002
【特許請求の範囲】
【請求項１】
高被写界深度（ＤＯＦ）において人の片方又は両方の虹彩を撮像する虹彩認証（Ｉ−Ｒ）システムであって、
ｉ）撮像波長λIMで人の顔領域に照射し、同顔領域は片方又は両目と、少なくとも額部を含み、ｉｉ）前記額部にスポットを形成する照射システムと、
前記高被写界深度ＤＯＦ内に物体面を、対応して高焦点深度ＤＯＦ’内に像面を有し、イメージセンサを前記像面に配し、回折限界の光学系に比して前記被写界深度ＤＯＦが５０％から５００％の間の割合で増加するような撮像波長λIMの球面収差（ＳＡ）量を有する光学系であって、前記顔領域が前記被写界深度ＤＯＦ内に位置したとき、前記イメージセンサに前記顔領域の像を形成するよう構成され、前記顔領域の像は、前記額部のスポットの像を含む、光学系と、
前記イメージセンサと前記照射システムとに電気的に接続され、前記イメージセンサと前記照射システムの動作を制御し調整し、前記顔領域の像に画像処理を施して、前記額部のスポットから得られた額距離情報を使用して生成した向上変調伝達関数（ＭＴＦ）に基づき、片方又は両方の虹彩の向上させた像を生成する、コントローラと、
を備えるＩ−Ｒシステム。
【請求項２】
前記球面収差ＳＡ量は、ｉ）０．２λIM≦ＳＡ≦５λIM、ｉｉ）０．２λIM≦ＳＡ≦０．９λIM、及びｉｉｉ）０．２λIM≦ＳＡ≦０．７５λIM、のうち少なくとも一つの関係式を満たす、
請求項１に記載のＩ−Ｒシステム。
【請求項３】
前記撮像波長λIMは、７００ｎｍ≦λIM≦９００ｎｍの関係式を満たす、
請求項１に記載のＩ−Ｒシステム。
【請求項４】
前記イメージセンサは、前記イメージセンサに形成された顔の原画像を示す、電子信号ＳＲＩを生成する、
請求項１に記載のＩ−Ｒシステム。
【請求項５】
前記コントローラは、前記電子信号ＳＲＩを受信及び処理して、前記原画像のコントラストより高いコントラストを有する片方又は両方の虹彩の向上させた像を生成する画像処理部を有する、
請求項４に記載のＩ−Ｒシステム。
【請求項６】
前記画像処理部に電子的に接続され、一以上の向上されたコントラストの画像をコンピュータ読み取り可能な媒体に読み出し可能に格納するデータベースを更に有する、
請求項５に記載のＩ−Ｒシステム。
【請求項７】
前記照射システムは、前記顔領域に照射する第１の光源と、前記額部のスポットを形成する第２の光源とを有する、
請求項１に記載のＩ−Ｒシステム。
【請求項８】
前記光学系は、単一の光学要素と、前記単一の光学要素とは異なる位置に配された開口絞りとからなる、
請求項１に記載のＩ−Ｒシステム。
【請求項９】
前記単一の光学要素は、平面が物体側を向いている平凸レンズである、
請求項８に記載のＩ−Ｒシステム。
【請求項１０】
前記開口絞りは、コマ収差を最小化する位置の前記レンズの像側に配されてなる、
請求項９に記載のＩ−Ｒシステム。
【請求項１１】
前記光学系は、無限焦点又は実質的に無限焦点の前部レンズ群を含む、
請求項１に記載のＩ−Ｒシステム。
【請求項１２】
前記光学系は、前記球面収差量を、前記前部レンズ群の単一の光学要素の一以上の面半径を調整することにより調整できるように構成されてなる、
請求項１に記載のＩ−Ｒシステム。
【請求項１３】
人の少なくとも一方の虹彩の向上させた像を生成する方法であって、
人の少なくとも片方の目と人の額部とを含む人の顔領域の原画像を、回折限界の光学系に比して光学系の被写界深度（ＤＯＦ）を５０％から５００％の間の割合で増加させる球面収差を有する光学系を使用して生成し、
前記原画像を電子的に撮り、対応する原変調伝達関数（ＭＴＦ）を有するデジタル化した原画像を生成するイメージセンサを使用し、
前記光学系に対する人の位置に基づき、前記デジタル化された原画像における所定のデフォーカス量を決め、
前記原ＭＴＦに利得関数をかけることにより、前記原ＭＴＦから、前記デフォーカス量の関数である向上ＭＴＦを生成し、
前記向上ＭＴＦを前記デジタル化した原画像に付与して向上させた画像を得る、
方法。
【請求項１４】
前記光学系は、単一の光学要素と開口絞りとからなる、
請求項１３に記載の方法。
【請求項１５】
前記単一の光学要素を色収差を付与する種類のガラスから形成することにより前記ＤＯＦをプラス２０％まで増加させ、平均ＭＴＦを約２５％の縮減にとどめることを含む、
請求項１３に記載の方法。
【請求項１６】
前記単一の光学要素を石英ガラスから生成することを含む、
請求項１３に記載の方法。
【請求項１７】
前記単一の光学要素は、ａ）平面が物体側を向いた平凸レンズ、ｂ）メニスカスレンズ、ｃ）両凸レンズ、のうちの一つである、
請求項１４に記載の方法。
【請求項１８】
前記開口絞りは、コマ収差を最小化する位置の前記レンズの像側に配される、
請求項１７に記載の方法。
【請求項１９】
前記光学系は、無限焦点又は実質的に無限焦点の前部レンズ群を含む、
請求項１３に記載の方法。
【請求項２０】
前記光学系は、前記球面収差量を、前記前部レンズ群の単一の光学要素の一以上の面半径を調整することにより調整できるように構成されてなる、
請求項１９に記載の方法。
【請求項２１】
前記人の額部にスポットを形成し、前記原画像における前記スポットの位置に基づき前記デフォーカス量を決めることにより、前記デフォーカス量を決定することを含む、請求項１３に記載の方法。
【請求項２２】
前記顔部に対応する照射領域を形成する第１の照射ビームと、前記スポットを形成する第２の照射ビームとを前記顔部に照射することを更に含む、
請求項２１に記載の方法。
【請求項２３】
Ｎ数の原画像を撮り、前記原画像を分析して片方又は両方の目に動きがあったか、且つ／又は瞬きがあったかを判断することを含む、
請求項１３に記載の方法。
【請求項２４】
前記目の動きを追跡し、前記目の動きに対応し前記向上させた画像を生成するために用いられる前記イメージセンサの領域を特定することを含む、
請求項２３に記載の方法。
【請求項２５】
前記向上させたイメージにおけるノイズを削減するように前記Ｎ数の画像を平均化することを含む、
請求項２３に記載の方法。
【請求項２６】
人と前記光学系との間の距離を測定し、
前記向上させたＭＴＦを生成することは、測定した距離に応じて前記原ＭＴＦに二次元線形デジタルフィルタを付与することを含む、
請求項１３に記載の方法。
【請求項２７】
均一なインコヒーレントなバックライティングで傾斜エッジを使用して被写界深度ＤＯＦと重なる異なるサンプル距離で前記原ＭＴＦを測定することを含む、
請求項２５に記載の方法。
【請求項２８】
物体のコントラストを向上させた画像を生成する、向上ＤＯＦ撮像システムであって、
回折限界の光学系に比して被写界深度ＤＯＦが５０％から５００％の間の割合で増加するような撮像波長λIMの球面収差（ＳＡ）量を有する光学系であって、物体が前記ＤＯＦ内にあり且つ光学系から所定の距離にあるとき、像面に物体の像を生成するように構成されている光学系と、
前記像面に配され、原画像としての画像を示す電気信号を生成するイメージセンサと、
前記イメージセンサに電気的に接続され、電気信号を受信し、前記物体の距離に基づき生成された向上変調伝達関数（ＭＴＦ）を使用して前記原画像に画像処理を行って向上させた画像を生成するコントローラと、
を備える、撮像システム。
【請求項２９】
前記コントローラは、Ｎ数の向上された複数の画像を平均化して、前記Ｎ数の向上させた複数の画像のいずれに対しても削減されたノイズを有する最終の向上された画像を生成する、
請求項２８に記載の撮像システム。
【請求項３０】
前記光学系は、単一の光学要素と、前記単一の光学要素とは異なる位置に配された開口絞りとからなる、
請求項２８に記載の撮像システム。
【請求項３１】
前記単一の光学要素は、ａ）平面が物体側を向いた平凸レンズ、ｂ）メニスカスレンズ、ｃ）両凸レンズ、のうちの一つである、
請求項３０に記載の撮像システム。
【請求項３２】
前記開口絞りは、コマ収差を最小化する位置の前記レンズの像側に配される、
請求項３０に記載の撮像システム。
【請求項３３】
前記光学系は、無限焦点又は実質的に無限焦点の前部レンズ群を含む、
請求項２８に記載の撮像システム。
【請求項３４】
前記光学系は、前記球面収差量を、前記前部レンズ群の単一の光学要素の一以上の面半径を調整することにより調整できるように構成されてなる、
請求項３３に記載の撮像システム。
【請求項３５】
前記コントローラに動作可能に接続され、前記物体上に前記原画像に現れるマークを形成する照射システムを更に有し、前記コントローラが前記原画像の前記マークの位置に基づいて前記物体の距離を決定するよう構成されてなる、
請求項２８に記載の撮像システム。
【請求項３６】
前記マークはスポットである、
請求項３５に記載の撮像システム。
【請求項３７】
前記イメージセンサは、低解像度と高解像度モードとに切り替えられ、
前記コントローラは、前記低解像度モードの原画像を処理することにより物体の動きを追跡するよう構成されてなる、
請求項２８に記載の撮像システム。
【請求項３８】
前記物体の動きの追跡は、所定の基準位置に対する前記低解像度モードの原画像の相関関数の一以上のピーク位置を見つけることにより行なわれる、
請求項３７に記載の撮像システム。
【発明の詳細な説明】
【技術分野】
【０００１】
本発明は、一般的には撮像システム、中でも高被写界深度撮像システムに関する。更に詳しくは、高被写界深度虹彩認証システムに関する。
【背景技術】
【０００２】
人間は、指紋、虹彩パターン、声等、様々な固有の肉体的特徴を有し、それらを測定することにより個人の識別が可能となる。かかる特徴の測定技術は、「バイオメトリクス」として知られている。
【０００３】
生体識別（「認証」）を行うのに人の虹彩パターンを測定することを、「虹彩認証」と呼ぶ。虹彩認証は、人の虹彩の像を撮り、そしてパターン認識技術を用いて目の「指紋」と同等のものを生成することを含む。しかし、虹彩イメージは、指紋と異なり、対象物と物理的な接触を必要としないため、指紋よりも目立たない方法で得られる。
【０００４】
虹彩認証システムに関する初期の研究は、次の文献に記載されている。なお、これらの論文及び特許は、引用をもって本願に含むものとする。
【先行技術文献】
【特許文献】
【０００５】
【特許文献１】米国特許第5,291,560号（Daugman, "Biometric personal identification system based on iris analysis"）
【特許文献２】米国特許第4,641,349号(Flom et al., "Iris recognition system")
【非特許文献】
【０００６】
【非特許文献１】「How iris recognition works.」John G.  Daugman著,（IEEE transactions on Circuits and Systems for  Video Technology, 14(1), January 2004, pp. 21-30
【発明の概要】
【発明が解決しようとする課題】
【０００７】
虹彩認証は、片方又は両方の虹彩を比較的高い解像度で撮像して、できるだけ多くの虹彩の詳細を得られるようにすることが必要である。その撮像はまた、虹彩が立体的であり且つ一部のラチチュードが虹彩像を撮る光学系に対する対象者の目の正確な位置にあることが必要であるため、比較的高被写界深度において行われなければならない。光学系はまた、必要な画像処理を行うために、虹彩全体のみならず目の周りの顔の一部も撮るのに十分な視角（field-of-view; FOV）を有する必要がある。
【０００８】
多くの虹彩認証の主な欠点は、高被写界深度、十分に広い視角、高解像度という光学系の必須条件が多少矛盾していることである。例えば、高解像度の撮像システムは比較的大きい開口数（ＮＡ）（つまり、小さいＦ／♯）を必要とし、高被写界深度は比較的小さい開口数（つまり、大きいＦ／♯）を必要とする。比較的大きい開口数はまた、光学系の集光力を減少させ、虹彩像を撮るのに長い露光を必要とする。そして、これはまた、虹彩像がぼやけたり、遮られたりしないように、長い時間対象物が静止し続け、その目を動かさない（或いは瞬きしない）ことを必要とする。
【０００９】
同光学設計によりもたらされた課題を克服するため、波面符号化や比較的複雑な光学系を含む、様々なアプローチがなされてきた。しかし、幅広い条件や状況において必要な光学撮像処理を提供する、単純ではあるが強固な光学系を有する虹彩認証システムは求められ続けている。
【課題を解決するための手段】
【００１０】
本発明の一の態様は、高被写界深度（ＤＯＦ）において人の片方又は両方の虹彩を撮像する虹彩認証（Ｉ−Ｒ）システムである。Ｉ−Ｒシステムは、ｉ）撮像波長λIMで人の顔領域に照射し、同顔領域は片方又は両目と、少なくとも額部を含み、ｉｉ）額部にスポットを形成する照射システムを備える。Ｉ−Ｒシステムはまた、高被写界深度ＤＯＦ内に物体面を、対応して高焦点深度ＤＯＦ’内に像面を有する光学系を備える。イメージセンサは像面に配されている。光学系は、回折限界の光学系に比して被写界深度ＤＯＦが５０％から５００％の間の割合で増加するような撮像波長λIMの球面収差（ＳＡ）量を付与する。光学系は、顔領域が被写界深度ＤＯＦ内に位置したとき、イメージセンサに顔領域の像を形成するよう構成されている。顔領域の像は、額のスポットの像を含む。Ｉ−Ｒシステムはまた、イメージセンサと照射システムとに電気的に接続されたコントローラを備える。コントローラは、イメージセンサと照射システムの動作を制御し調整する。コントローラはまた、顔領域の像に画像処理を施して、額のスポットから得られた額距離情報を使用して生成した向上変調伝達関数（ＭＴＦ）に基づき、片方又は両方の虹彩の向上させた像を生成する。
【００１１】
本発明の他の態様は、人の少なくとも一方の虹彩の向上させた像を生成する方法である。同方法は、人の少なくとも片方の目と人の額部とを含む人の顔領域の原画像を生成することを含む。原画像は、回折限界の光学系に比して光学系の被写界深度ＤＯＦを５０％から５００％の間の割合で増加させる球面収差を有する光学系を使用して生成される。同方法はまた、原画像を電子的に撮り、対応する原変調伝達関数（ＭＴＦ）を有するデジタル化した原画像を生成するイメージセンサを使用することを含む。そして同方法は、光学系に対する人の位置に基づき、デジタル化された原画像における所定のデフォーカス量を決めることを含む。同方法はまた、原ＭＴＦにデフォーカス量に応じた利得関数をかけることにより、原ＭＴＦから向上ＭＴＦを生成することを含む。同方法は更に、向上ＭＴＦをデジタル化した原画像に付与して向上させた画像を得ることを含む。
【００１２】
本発明のその他の態様は、物体のコントラストを向上させた画像を生成する、向上ＤＯＦ撮像システムである。同システムは、回折限界の光学系に比して被写界深度ＤＯＦが５０％から５００％の間の割合で増加するような撮像波長λIMの球面収差（ＳＡ）量を有する光学系を備える。物体がＤＯＦ内にあり且つ光学系から所定の距離にあるとき、像面に物体の像を生成するように構成されている。撮像システムはまた、像面に配され、原画像としての画像を示す電気信号を生成するイメージセンサを備える。撮像システムはまた、イメージセンサに電気的に接続され、画像処理能力を有するコントローラを備え、コントローラは、電気信号を受信し、物体の距離に基づき生成された向上変調伝達関数（ＭＴＦ）を使用して原画像に画像処理を行って向上させた画像を得る。
【００１３】
上記概要的説明や以下に述べる本発明の詳細な説明は、本発明の実施態様を示すものであって、請求の範囲に記載された本発明の性質及び特徴を理解するための概要又は構成を提供することを意図していることは理解されるべきである。添付の図面は本発明を更に理解されるよう含まれるものであり、本明細書に盛り込まれその一部をなすものである。図面は本発明の多様な実施形態を示しており、説明とともに本発明の本質や作用を説明するものである。
【図面の簡単な説明】
【００１４】
【図１】本発明による虹彩認証（Ｉ−Ｒ）システムの実施例全体の概略図である。
【図２】左右虹彩、左右瞳孔及び左右強膜を示す人の目の拡大画像である。ここでは、人にとっての「左」及び「右」とする。
【図３Ａ】ａからｇの曲線によって示したデフォーカス量を変化させるための回折限界の変調伝達関数（ＭＴＦ）のプロットである。
【図３Ｂ】理想化された撮像光学系のスルーフォーカスによる光強度分布のプロットである。点線の楕円は焦点深度を示す。
【図４Ａ】ａからｈの曲線によって示すように、０．７５λの球面収差を有する撮像光学系のデフォーカス量を変化させるための変調伝達関数（ＭＴＦ）のプロットであり、比較のためにゼロフォーカスの回折限界のＭＴＦと共に示す。
【図４Ｂ】図４ＡのＭＴＦの光強度のプロットと同じタイプであって、球面収差の存在により図３Ｂの回折限界の場合と比べどのように焦点深度（点線）が延長されるかを示す。
【図４Ｃ】ＮＡ＝０．００６３の物体空間において１ミリあたり３ラインペア（ｌｐ/ｍｍ）でスルーフォーカスＭＴＦをプロットしたものである。
【図５】図５Ａ〜５Ｄは、０．７λの球面収差を有する光学系の様々な像高さについての光路差（ＯＰＤ）のプロットである。
【図６Ａ】向上被写界深度を提供する単一レンズ要素を含む、図１のＩ−Ｒシステムの光学系の実施例の概略図である。
【図６Ｂ】ダブルガウスのレイアウトに基づく複数レンズ要素を含む、図１のＩ−Ｒシステムの光学系の実施例の概略図である。
【図６Ｃ】２要素前方負レンズ群と５要素後方正レンズ群とを採用した、図１のＩ−Ｒシステムの光学系の実施例の概略図である。
【図７】図７Ａ〜７Ｃは、表２Ａで示し図６Ｂに示された光学系の赤、青、緑の波長光のＯＰＤのプロットである。図７Ｄは、表３Ａで示し図６Ｂに示された光学系の変調伝達関数（ＭＴＦ）のプロットである。
【図８】図８Ａ〜８Ｃは、表３Ｂで示し図６Ｃに示された光学系の赤、青、緑の波長光のＯＰＤのプロットである。図８Ｄは、表３で示し図６Ｃに示された光学系の変調伝達関数（ＭＴＦ）のプロットである。
【図９】図１のＩ−Ｒシステムの照射システムの実施例を示す概略図である。
【図１０】図１０Ａ及び図１０Ｂは、図１に示すものと類似するＩ−Ｒシステムの概略図であって、額の距離を測定するのに用いられる複数の主要な幾何学パラメータと照射領域とを示す。
【図１１】図１１は、図１に示すものと類似するＩ−Ｒシステムの概略図であって、額の距離を測定するのに用いられる複数の主要な幾何学パラメータと照射領域とを示す。
【図１２】スポット高さｈの関数である、額距離ＤHの距離測定に用いられるスクリーンの前面図である。
【図１３】額距離ＤHの関数である、レーザスポット像高さｈ’のプロットである。
【図１４】図１のＩ−Ｒシステムのコントローラの実施例を示す概略図である。
【図１５】図１のＩ−Ｒシステムの光学系に関し、各デフォーカス位置について測定された（原）ＭＴＦのプロットである。
【図１６】測定された原ＭＴＦに対し、画像処理から得られた向上ＭＴＦのゲインの各デフォーカス位置のプロットである。
【図１７】画像処理後に得られた典型的な「出力」即ち向上ＭＴＦの各デフォーカス位置のプロットである。
【図１８】画像のリンギングによって発生するオーバシュートΔｏｓを示す、エッジの画像の位置に対する光強度Ｉのプロットである。
【図１９】ベストフォーカスでの測定された原ＭＴＦと向上（出力）ＭＴＦのプロットであり、画像処理による画像解像度のリカバリを示す。
【図２０】瞳の位置分析に用いられるスポットの目からの反射の写真である。
【図２１】本発明のＩ−Ｒシステムによって撮られた顔領域の像であり、瞳の位置決めに用いられる、基準目テンプレートに対し像が明確な相関ピークを示している。
【図２２】相関関数対距離をプロットしたものであり、左右の目からのそれぞれの反射に相当するピークＰＲ及びＰＬとして目の反射がどのように生じるかを示す。
【図２３】目の動きによる画像のぼやけを示し、また目の反射の動きを示す左目の画像。
【図２４】連続する目の画像に関し目の反射の画像の画素位置をプロットしたものであり、目が動いている間目の反射が測定可能な路に沿ってどのように動くかを示す。
【図２５】相関振幅と画像番号のプロットであり、片方又は両方の目を瞬きしたとき相関がどのように変化するかを示す。
【発明を実施するための形態】
【００１５】
本発明の好適な実施例について詳細に説明する。同例は添付の図面に示されている。可能な限り、図面を通じて同様の部分については同様の参照符号を用いる。以下の例では本発明の範囲内で多様な変形や変更が行われてもよい。また異なる実施例の各態様は多様に組み合わされて、他の実施例を創出してもよい。したがって、本発明の真の範囲は本開示の全体から理解されるべきものであり、ここで記載する実施形態を鑑みて理解されるべきであり、実施形態に限定されるべきではない。
【００１６】
本発明は、向上ＤＯＦ撮像システムに関する。まず、本発明の向上ＤＯＦ撮像システムに基づく虹彩認証（Ｉ−Ｒ）システム全体について説明し、次いで同Ｉ−Ｒシステムを構成する各部の詳細を、本発明をなす方法及びプロセスとともに説明する。
【００１７】
＜Ｉ−Ｒシステム全体＞
図１は、本発明による虹彩認証（Ｉ−Ｒ）システム１０の実施形態全体の概略図である。Ｉ−Ｒシステム１０は、光軸Ａ１を有し、同光軸に沿って撮像光学系２０が配されている。同撮像光学系は、横倍率ＭL、縦倍率ＭA＝（ＭL）2、物体空間ＯＳにおける物体面ＯＰ及び像空間ＩＳにおける像面ＩＰを有する。光学系２０は、物体空間ＯＳに、物体が撮像されフォーカスされた状態が可能となる被写界深度ＤＯＦを有する。同様に、光学系２０は、像空間ＩＳに、物体の像がフォーカスされた状態にある対応する焦点深度ＤＯＦ’を有する。したがって、物体及び像面ＯＳ及びＩＳは、物体とその対応する像の理想的な位置であって、通常は最適物体位置及び「ベストフォーカス」位置にそれぞれ相当する。実際には、これらの面はそれぞれ被写界深度ＤＯＦ及び焦点深度ＤＯＦ’内のどこかにあたる。被写界深度ＤＯＦ及び焦点深度ＤＯＦ’は、光学系２０の特性によって決められ、本発明のＩ−Ｒシステムにおけるこれらの相関関係及び重要性は後ほど詳細に説明する。
【００１８】
Ｉ−Ｒシステム１０はまた、光学系２０と光学的に連通するように光学系の像面ＩＰに配された光電面３２（例えば、電荷結合装置アレイ）を有するイメージセンサ３０を備える。
【００１９】
人３５は、物体空間ＯＳに位置し、両目３４を含むその顔の一部（「顔部」４４）が光学系２０に対する「物体」となる。図２は、左右虹彩３６Ｌ，３６Ｒ、左右瞳孔３８Ｌ，３８Ｒ及び左右強膜４０Ｌ，４０Ｒを示す人３５の目３４Ｌ，３４Ｒの拡大画像である。なお、ここでは、人３５にとっての「左」及び「右」とする。
【００２０】
人３５は、左右の目３４Ｌ，３４Ｒが光学系２０の被写界深度ＤＯＦ内（例えば、物体面ＯＰ）に位置するように配される。人の額４２は光学系２０から距離ＤHに位置する。距離ＤHは、ここでは「額距離」と称することとし、後述するように光学系２０に対する目３４の適切な位置決めを行うのに使用される。光学系２０は顔部４４の像４４’を形成し、顔部の像４４’は目３４Ｌ，３４Ｒ、特にその虹彩３６Ｌ，３６Ｒの像を含む。像４４’はまた、後述する理由により人の額又はその一部を含む。
【００２１】
Ｉ−Ｒシステム１０は更に、コンピュータや同様の装置等のコントローラ５０を備え、（例えばコンピュータ読み取り可能な媒体のソフトウエア等の命令を介して）Ｉ−Ｒシステムの各部の動作を制御する。コントローラ５０の実施例は後述する。
【００２２】
コントローラ５０は画像処理部５４を有する。画像処理部５４は、イメージセンサ３０に電気的に接続され、イメージセンサからの原画像信号ＳＲＩを受信し処理して、処理後の画像信号ＳＰＩを生成する。
【００２３】
Ｉ−Ｒシステム１０はまた、コントローラ５０に電気的に接続された照射システム６０を有する。照射システム６０は、顔部４４を対応する照射領域４８とともに照射する、光軸Ａ２に沿った第１の照射ビーム６８を付与するよう構成されている。照射システムはまた、人の額４２にスポット８０等のマークを形成する、軸Ａ３に沿った第２の照射ビーム７０を付与するよう構成されている。照射システム６０は、照射制御信号Ｓ１によりコントローラ５０によって制御される。
【００２４】
Ｉ−Ｒシステム１０はまた、コントローラ５０に動作可能に連結されたデータベース部９０を備える。データベース部９０は、処理された画像信号ＳＰＩを受信するコンピュータ読み取り可能な媒体であり、処理された画像信号である虹彩３６Ｌ及び３６Ｒの処理後デジタル画像を格納する記憶部９２を有する。記憶部（「メモリ」）９２は、コンピュータ読み取り媒体であれば何でもよく、データを格納できる、ＲＡＭ、ＲＯＭ、ＥＰＲＯＭ、ＰＲＯＭ、ＥＥＰＲＯＭ、ディスク、フロッピィディスク、ハードディスク、ＣＤ−ＲＯＭ、ＤＶＤ等であるが、これらに限定されない。実施例では、データベース部９０は、コントローラ５０に含まれている。よってデータベース部９０は、人の認証を行うために他の虹彩と比較することができる虹彩画像のライブラリを含む。
【００２５】
Ｉ−Ｒシステム１０の一般的な動作においては、まず人３５が物体空間ＯＰ内に正しく位置しその目３４が光学系２０の被写界深度ＤＯＦ内にあるようにする。次いでコントローラ５０は、照射制御信号Ｓ１を照射システム６０に送信し、これにより照射システムが照射ビーム６８を発生させる。照射ビームは照射領域４８とともに顔部４４に照射する。コントローラ５０はまた、制御信号Ｓ３０を送信して所定の照射時間イメージセンサ３０を動作させ、光学系２０に形成された顔部の像４４’が光電面３２によって捉えられる。イメージセンサ３０はその「原」像４４’をデジタル化し、その原の捉えられた像を示す電子原画像信号ＳＲＩを生成する。画像信号ＳＲＩはコントローラ５０、特にその中の画像処理部５４に送られる。実施例では、イメージセンサ３０はスポット８０を含む像４４’の部分から別の電子スポット信号ＳＳを生成するため、スポット信号は画像信号ＳＩとは別に処理される。
【００２６】
次いで画像処理部５４は、原画像信号ＳＲＩをデジタル処理して、電子処理後の画像信号ＳＰＩとして表わされた、対応する処理後画像を生成する。画像処理部５４はまた、原画像信号ＳＲＩからスポット信号ＳＳを抽出（或いは、イメージセンサ３０から送信されたスポット信号ＳＳを使用）して、後述するように三角測量によって距離ＤHを求める。画像処理部５４は、距離ＤHを用いて原画像信号ＳＲＩをデジタル処理（例えば、フィルタ、圧縮等）し、向上させた虹彩３６Ｌ、３６Ｒのデジタル画像を示す上記の処理後画像信号ＳＰＩを生成する。そして、これらの画像は、虹彩認証のために別々に用いられてもよいし、一緒に用いられてもよい。
【００２７】
次いでコントローラ５０を利用して、データベース部９０に格納された処理後の虹画像にアクセスし、他の格納された虹彩画像や、最近取得された処理後の虹彩画像と比較し、人の認証を行う。
【００２８】
＜光学系＞
上述の通り、撮像光学系２０は、それぞれの設計によって決まる、物体空間ＯＳにおける被写界深度ＤＯＦと、像空間ＩＳにおける焦点深度ＤＯＦ’を有する。従来の光学系の被写界深度ＤＯＦ及び焦点深度ＤＯＦ’は、フォーカスを通じて点広がり関数（ＰＳＦ）のエボリューションを測定することによって確定され、所定の用途としては許容できる解像度Ｒの損失量を特定することによって求めることができる。「最小錯乱円」はしばしば、焦点深度ＤＯＦ’の限界を決めるパラメータとされる。
【００２９】
本発明では、被写界深度ＤＯＦ及び焦点深度ＤＯＦ’は、光学系２０にある球面収差（ＳＡ）量を与えることにより拡張される。実施例では、０．２λIM≦ＳＡ≦５λIMとなる（ただし、λIMは撮像波長である。）。実施例では、撮像波長λIMにおける光学系の球面収差量は、被写界深度ＤＯＦ又は焦点深度ＤＯＦ’が、回折限界の光学系に比して、５０％から５００％の間の割合で増加するような量である。選択した球面収差量を加えることにより、被写界深度ＤＯＦにおける増加量を制御できる。後述する例示の光学系の設計は、選択した球面収差量が加えられるようになっているため、被写界深度ＤＯＦの選択も増え、像形成に対する他の収差の悪影響が増すこともない。
【００３０】
被写界深度ＤＯＦ及び焦点深度ＤＯＦ’は、光学系２０の縦倍率ＭA及び横倍率ＭLに対し、ＤＯＦ’＝（ＭA）ＤＯＦ＝（ＭL）2の関係式によって関連付けられているため、Ｉ−Ｒシステム１０は、利便性のため「拡張された被写界深度」を有すると言われている。当業者であれば、この表現がＩ−Ｒシステムが「拡張された焦点深度」を有することを意味することも認識する。したがって、下記においては、被写界深度ＤＯＦ又は焦点深度ＤＯＦ’は、文脈に応じて使用される。
【００３１】
変調伝達関数（ＭＴＦ）はまた、スルーフォーカスの像の解像度Ｒ及びコントラストＣを調べることにより焦点深度ＤＯＦ’を特徴付けるためにＰＳＦと併せて用いることができる。ここで、「変調」又は「コントラスト」Ｃ＝（ＩMAX−ＩMIN）／（（ＩMAX＋ＩMIN）は、特定の空間周波数を有する正弦関数の線空間対セットの像について測定され、ＩMAXとＩMINはそれぞれ最大及び最小画像強度である。ベストフォーカスは、ＭＴＦが最大であり且つＰＳＦが最も狭くなる像位置として定義される。光学系は収差がない（つまり、回折限界がある）とき、ＭＴＦに基づくベストフォーカスはＰＳＦに基づくベストフォーカスと一致する。しかし、光学系には収差が存在するので、ＭＴＦ及びＰＳＦに基づくベストフォーカス位置は異なり得る。
【００３２】
従来のレンズ設計の原理は、光学系をあらゆる収差がないようにするか、少なくとも収差のバランスをとってその効果を最小限にして光学系全体として実質的に収差がないよう設計することを求めている。
【００３３】
しかし、本発明では、光学系２０は優勢の収差として球面収差をもつように意図的に設計されるとともに、選択的に少量の色収差を有する。図３Ａは、収差のないＦ／８レンズのＭＴＦのプロット（ａからｇの曲線）であり、図４Ａは０．７５波長の球面収差を有するＦ５．６レンズのＭＴＦのプロット（ａからｈの曲線）である。図３Ｂは、図３ＡのＦ／８レンズの回折限界の場合のスルーフォーカスの光強度のプロットであり、図４Ｂは、図４Ａのレンズの球面収差を有するＦ／５．６レンズのスルーフォーカスの光強度のプロットである。図５Ａから５Ｄは、０．７λの球面収差がある光学系の異なる像高さ（それぞれ０ｍｍ、２０ｍｍ、３０ｍｍ、６０ｍｍ）の光路差（ＯＰＤ）のプロットである。
【００３４】
球面収差は、ＭＴＦの全体のレベルを基本周波数ｆ0＝０からカットオフ周波数ｆCに削減して像のコントラストを縮減する。カットオフ周波数ｆCは理想的（つまり回折限界の）ＭＴＦに比して実質的には削減されていないため、ほぼ全ての元の空間周波数スペクトルが利用できる。よって、空間周波数情報は、低いコントラストではあるにもかかわらず像に利用できる。次いで縮減されたコントラストは、後述するように、画像処理部５４によって行われるデジタルフィルタリングによって回復される。球面収差は、高い空間周波数がより広い範囲のデフォーカスにわたって利用可能であるという意味において、焦点深度ＤＯＦ’を増加させる。デジタルフィルタリングは、向上した焦点深度ＤＯＦ’におけるコントラストと良質の画像とを回復させ、光学系２０の撮像性能を効果的に向上させる。
【００３５】
球面収差は、ρが瞳座標であるとき、波面誤差Ｗ（ρ）＝ρ4という意味では「均等」な収差である。よって、球面収差は回転対称の波面誤差を示すため位相はゼロである。これは、結果の光学的伝達関数（ＯＴＦ）（ＰＳＦのフーリエ変換）が回転対称の実関数であることを意味する。ＭＴＦは、ＯＴＦの大きさであり、球面収差が傾斜角度で測定される一次元ＭＴＦを考慮することによって優勢の収差である場合に得られる。この測定により、デジタル信号処理を介して二次元の像を回復するのに必要なすべての情報が得られる。また、いずれのデフォーカス位置においても位相がゼロであることにより、フーリエ（つまり空間周波数）空間におけるＯＴＦの位相要素（つまり、位相伝達関数、ＰＦＴ）を考慮する必要なくデジタル画像処理がＭＴＦを向上させる。
【００３６】
図４Ａから明らかなように、デフォーカスの像側（「ベストフォーカス」面から測定したもの）は、球面収差があるときＭＴＦにゼロがないので、コントラストの反転はない。これにより、像はこの拡張焦点深度ＤＯＦ’内に形成され検出されて、有害なリンギング、オーバシュート、その他のアーチファクトに対応する必要なく回復されることができる。
【００３７】
実施例では、光学系２０は所定量の球面収差ＳＡが与えられる。ただし、０．２λ≦ＳＡ≦５λとし、好適には０．２λ≦ＳＡ≦０．９λ、更に望ましくは０．２λ≦ＳＡ≦０．７５λとする。ＳＡ＝０．７５λの球面収差量は、デフォーカス側のＭＴＦにゼロを形成することなくＤＯＦを実質的に向上させる。０．７５λを超えると、ベストフォーカスからデフォーカスの両側でゼロが発生する。回折限界の光学系では、焦点深度ＤＯＦ’はＤＯＦ’＝±λ（ＮＡ2）の関係式が成り立つ。ただし、ＮＡは光学系の開口数である。実施例では、光学系２０は、ＮＡは０．０６２５と０．１２５の間（つまり、Ｆ／８からＦ／４）である。ただし、Ｆ／＃＝ＮＡ／２であり、λ＝８００ｎｍの中央波長、Δλの帯域幅で動作し、２０ｍｍの回折限界の焦点深度ＤＯＦ’を提供する。０．７５λの球面収差を導入することにより、焦点深度ＤＯＦ’が１００ｍｍまで増加する。これは、回折限界の被写界深度ＤＯＦの約５倍の増加である。図４Ｃは、物体空間において３ｌｐ／ｍｍのスルーフォーカスＭＴＦをプロットしたものである。
【００３８】
＜単一レンズの光学系の例＞
図６Ａは、本発明による光学系２０の第１実施例の概略側面図である。光学系２０は、光軸Ａ１に沿って配された単一レンズ要素１００を有する。レンズ要素１００は、前（すなわち物体側）面１０２と、後（すなわち像側）面１０４と、中央（軸）肉厚部ＴＨを有する。開口絞りＡＳは、レンズ前面１０２から距離ＤASの所に光軸Ａ１に沿って配され、動径座標ρを有する瞳孔Ｐを形成する。瞳孔Ｐはまた、物体及び像空間それぞれから見て光学系の入出瞳孔を形成する。実施例では、レンズ要素１００は面１０２が平面である平凸レンズである。実施例ではまた、面１０４は非球面である。レンズ要素１００は、像面ＩＰに像ＩＭを形成する。
【００３９】
下記の表１は、単一レンズ要素１００に基づく光学系２０の設計例を示す。
【００４０】
【表１】
2010524073.tif 000003
【００４１】
このレンズ１００の単純な単一設計により、Ｆ／６．６で虹彩認証を行うための必要な実際に有効な条件によく合致する必要な球面収差が得られる。レンズ１００として、Ｆ／＃がＦ／４からＦ／８の範囲であるプラスチック材料を選択することもできる。光学系２０の単一要素設計の利点としては、光学系を非常にコンパクトにできるため、Ｉ−Ｒシステム１０全体もコンパクトにできる。
【００４２】
開口絞りＡＳと瞳孔Ｐの距離ＤEは、コマ収差を最小化するものである。レンズ１００の非点収差は約λ／１０であり、画像品質には致命的な影響は与えない。単一要素設計は色収差のために全体的な修正は行わない。これは、一部の色収差がＭＴＦのゼロをいくつか排除することにより比較的大きな撮像帯域幅ΔλIMで用いると被写界深度ＤＯＦを更に増加させるという点においては利点である。そうでない場合、色収差は、比較的大きい被写界の境界において横色を導入することによりＭＴＦを減少させないように、アッベ数Ｖ＞６０を用いて制限される。軸上色収差はガラスの選択により多様な数値に設定できる。標準的な光学ガラスはアッベ数が２０〜６４の範囲内のものである。
【００４３】
軸上色収差は被写界深度ＤＯＦを増やすが、ＭＴＦのレベルは低下する。言い換えると、これは、デジタル処理におけるＭＴＦの増幅を必要とすることになり、スペクトルノイズパワー密度（ＳＮＰＤ）を増加させる。よってアッベ数は、ＭＴＦの低下と被写界深度ＤＯＦの増加の間で最適な妥協点を得るよう選択されることが好ましい。実施例では、ガラス材料は、被写界深度ＤＯＦの増加（つまり、球面収差による増加）が２０％までであり、平均ＭＴＦレベルの低下が２５％程度に留まるように選択される。
【００４４】
石英ガラス（アッベ数６７．８）は、比較的広い近赤外スペクトル帯域幅（例えば、ΔλIM＝１５５ｎｍ（例えば、７３５ｎｍから８９０ｎｍ））を有する撮像波長ΔλIMを用いた場合は、良い選択である。実施例では、許容される軸上色収差は像空間において約０．３４ｍｍである。単一ＬＥＤアレイからのような帯域幅の狭い撮像スペクトルΔλIMを、約５０ｎｍのＦＷＨＭの近赤外スペクトルの帯域幅ΔλIMで用いた場合、軸上色収差は小さくなるためより分散的なガラスを用いることができる。表１のレンズ１００は、被写界境界において色収差が１０μｍである。
【００４５】
像面湾曲は、ベストフォーカス面の設定を考慮する必要がある。表１のレンズ１００は物体空間において６０ｍｍの像面湾曲、或いは像空間において−２０ｍｍの像面湾曲を有する。しかし、像面湾曲はデフォーカスの一形態に過ぎないため、この像面湾曲量による悪影響は、球面収差による焦点深度ＤＯＦ’のゲインによって解消し得る。
【００４６】
表１のレンズ１００は、物体空間において解像度Ｒ＝１２０μｍを有し、これは虹彩認証を行うために虹彩３６のパターンの詳細を解像するのに十分以上である。
【００４７】
＜ダブルガウスタイプの光学系例＞
図６Ｂは、本発明による光学システム２０の第２実施例の概略側面図である。図３Ｂの光学系２０は、ダブルガウス設計に基づき、物体側から像側へ５つのレンズ要素Ｌ１〜Ｌ５を有する。レンズＬ１及びＬ２は、レンズＬ１の凸面が物体側にありレンズＬ２の凸面が像側である対向するメニスカスレンズである。レンズＬ１はやや正レンズであり、レンズＬ２はやや負レンズである。実施例では、レンズＬ１及びＬ２の組合せにより全体としてやや負のパワーを有する前部レンズ群を形成し、他の実施例ではこの前部レンズ群は屈折力を有しない、つまり無限焦点である。
【００４８】
レンズＬ４及びＬ５は、それぞれ平凸正レンズ及び平凹負レンズであり、互いの平面を当接させてタブレットを形成している。レンズＬ５は、その凸面を物体側にした平凸レンズである。
【００４９】
以下の表２Ａ及び２Ｂは、図６Ｂの光学系２０のレンズ設計内容であり、同図のレンズ設計は、最小限の球面収差（表２Ａ）と、レンズＬ２の表面曲率を調整することにより意図的にレンズに導入される０．７５波長の比較的大きな球面収差量（表２Ｂ）とを有する。表２Ａ及び２Ｂにおいては、以下に述べる表と同じく、「Ｓ＃」が面番号で、「ＳＲＦ」は表面詳細、「Ｃ」はｍｍ単位の曲率、「Ｒ」はｍｍ単位の半径、「ＴＨ」はｍｍ単位の肉厚、「ガラス」はガラスの種類であり、「Ｄ」はｍｍ単位の直径である。
【００５０】
【表２Ａ】
2010524073.tif 000004
【００５１】
【表２Ｂ】
2010524073.tif 000005
【００５２】
表２Ｂにある光学設計は、一つのレンズ、つまりレンズＬ２の面曲率を調整することにより（下線部の値を参照）生じる０．７５波長の球面収差を有する。この例は、いかにして光学系の焦点深度ＤＯＦ’を増加させる球面収差を有するよう「従来の」光学設計を改変するかを示す。本実施例では、焦点深度ＤＯＦ’の増加は、同じレンズの回折限界のものに対し約４倍である。
【００５３】
＜負―正レンズの実施例＞
図６Ｃは、本発明による光学系２０の第２実施例の概略側面図である。光学系２０は、二つのレンズ要素Ｌ１、Ｌ２を有する第１負レンズ群と、三つのレンズ要素Ｌ３，Ｌ４，Ｌ５，Ｌ６及びＬ７を含む第２正レンズ群とを備える。開口絞りＡＳは、レンズ要素Ｌ４及びＬ５の間に位置し、レンズ要素Ｌ５に近接している。
【００５４】
表３Ａは、最小限の球面収差を有する図６Ｃの光学系２０のレンズ設計の内容例を示し、表３Ｂは、０．７５波長の球面収差を意図的に設計に盛り込んだ図６Ｃの光学系２０のレンズ設計の内容例を示す。
【００５５】
【表３Ａ】
2010524073.tif 000006
【００５６】
【表３Ｂ】
2010524073.tif 000007
【００５７】
表３Ｂに示した０．７５波の球面収差の設計は、レンズＬ３、Ｌ４及びＬ５によって生じる（表３Ａ及び３Ｂの下線の値を参照）。
【００５８】
図７Ａ、７Ｂ及び７Ｃは、表３Ａに示した「球面収差なし」のレンズ設計の、青、緑、赤の撮像波長λIM（それぞれ４８６ｎｍ．５８７ｎｍ及び６５６ｎｍ）の光路差（ＯＰＤ）をプロット（矢状面及び接平面）したものである。光路差のプロットは、いくつかの残りの収差、主に二次的な色収差とコマ収差とを示す。しかし、これらの収差は、図７Ｄに示すレンズのＭＴＦのプロットで示すように、比較的小さい。図７Ｄは、ＭＴＦが回折限界のＭＴＦに近いものを示している。
【００５９】
図８Ａ、８Ｂ及び８Ｃは図７Ａ、７Ｂ及び７Ｃと同様のＯＰＤプロットであるが、表３Ｂに示す「球面収差」レンズ設計のものを示す。図８Ｄは、表３Ｂに示すレンズ設計のＭＴＦのプロットである。
【００６０】
＜照射システム及び額距離測定＞
上述したように、Ｉ−Ｒシステム１０は、顔部４４と対応する照射領域４８とに照射する構成をもち、額距離ＤHを測定するのに使用されるスポット８０を額４２上に形成する照射システム６０を備える。図９は、光軸Ａ２に沿って配された光源２００、拡散器２１０、平行レンズ２２０を有する照射システム６０の一実施例の概略図である。実施例では、光源２００は、波長帯ΔλIの照射波長λIに集中して出射する発光ダイオード（ＬＥＤ）アレイを有する。ＬＥＤアレイのサイズ例は、８ｍｍ×８ｍｍである。
【００６１】
実施例では、ΔλI〜２００ｎｍ、例えば７００ｎｍと９００ｎｍの間である。好適な照射波長は、λI＝８１０ｎｍであり、照射ビーム６８を見えにくくするため、人３５にとって邪魔にならない。λI＝８１０ｎｍの照射波長はまた、特に青色や茶色の瞳を撮像するのによい。また、７００ｎｍ及び９００ｎｍの照射波長帯域ΔλIに対し感度がよい、高解像度のイメージセンサ３０を利用できる。比較的大きい照射帯域幅はまた、スペックル効果を和らげる。照明波長λIに近赤外波長を使用する別の理由は、かかる波長であれば瞳孔拡張を生じさせないからである。
【００６２】
実施例では、平行レンズ２２０はＦ／１で作用し５０ｍｍの焦点距離を有するフレネルレンズである。他の実施例では、分散器２１０は、約３度の一様な角度分布を有するように構成されたホログラフィック分散器である。
【００６３】
動作においては、光源２００のＬＥＤアレイは、人３５の目３４を含み照射領域４８を形成する顔部４４上に平行レンズ２２０により照射する。しかし、照射領域２４０は、分散器２１０の動作によってならされるため、イメージセンサ３０で光学系２０により形成された顔部の像４４’は画像処理に十分な高品質を有する。
【００６４】
実施例では、照射システム５０は、約１０ｍＷ／ｃｍ2の照射領域４８に平均的な照射を施し、約２０ｍｓの顔部の像４４’を撮る照射時間を与える。実施例では、ＬＥＤアレイの電流は、５Ａの２０ｍ一定パルスである。これにより、顔部４４においては、Ｆ／６．６で２０ｍｓの照射時間で良好な信号対雑音ノイズ（Ｓ／Ｎ）比が可能となる。
【００６５】
実施例では、顔部４４と平行レンズ２２０とは、約５００ｍｍから７００ｍｍの範囲の距離ＤF離れており、顔照射領域４８の大きさは約１２０ｍｍ×１２０ｍｍである。また、光軸Ａ２と光軸Ａ１間で測定した照射ビーム６８の入射角θ2の平均角度は、図１０のＩ−Ｒシステム１０の概略図に示すように、約７度である。照射領域４８は、目の網膜からの光後方散乱により生成されるいわゆる「赤目」等の害発生を避けることによって顔部のイメージ４４’を阻害しないように形成される。照射領域４８における照射の均一性はまた、網膜に結像され得る危険な照射ピークを回避することも可能である。照射領域４８の照射レベルは、目３４にとって安全であり、実施例では約１０ｍＷ／ｃｍ2である。
【００６６】
光源２００はコントローラ５０からの信号Ｓ２００によって発射される。実施例では、信号Ｓ２００は、イメージセンサ３０からコントローラ５０への多目的の出力（ＧＰＯ）に対する応答として発信される。コントローラ５０は、光学系２０を介して顔部の像４４’を撮るのにイメージセンサの露光時間と照射システム６０からの顔の照射との同期を設定する。
【００６７】
照射システム５０はまた、光軸Ａ３に沿って配され、額４２上に上記スポット８０を形成する略平行なレーザ光２８２を生成する、赤外（ＩＲ）又は近赤外レーザ源２８０を備える。実施例では、光軸Ａ３は、光軸Ａ１及びＡ２に対し傾斜し、レーザ光２８２が上から下というより人の額４２の方に向かって下から上にあてられる。
【００６８】
図１１は図１０と同様の概略図であり、レーザ源２００を用いて距離ＤHを計算するための主な幾何学的パラメータを示す。レーザ光２８２（及びその光軸Ａ３）は、光軸Ａ１に対して角度αを形成するため、スポット８０の高さｈはレーザ源２８０から像方向の距離が長くなると変化する。高さｈの変化は距離ＤHの関数として慎重に測定することができる。更に、高さｈは、イメージセンサ３０で光学系２０により形成されたその像の高さｈ’を測定することにより測定できる。スポットの高さｈとその像の高さｈ’はｈ＝（ＭL）ｈ’により関係付けられる。ここで、ＭLは、光学系２０の上記横拡大率である。よって、イメージセンサ３０で像の高さｈ’を測定し、光学系の横拡大率ＭLを知ることによりスポットの像高さｈ’が得られる。
【００６９】
図１２を参照すると、実施例では、様々な軸の距離ＤHに関してスポット８０のスポット高さｈ（及びその対応する像の高さｈ’）を得るのにホワイトスクリーン２９２を用いる。この処理は、約１ｍｍの精度の距離ＤHを得るのに用いられ、代表的な距離ＤH＝６００ｍｍで精度は０．２％である。この測定を実行した結果は図１３に示されており、同図は（額）距離ＤHに対する像の高さｈ’（画素による）をプロットしたものである。このように三角測量によりｈ、ｈ’及び額距離ＤH間の関係が得られる。実施例では、この測定結果はデータテーブルやルックアップテーブルとしてコントローラ５０に格納され、Ｉ−Ｒシステム１０の動作時に（例えば、画像処理部５４によって）アクセスされる。高さｈの測定した値の間に入る距離ＤHを得るには線形補完を用いる。
【００７０】
＜イメージセンサ＞
実施例では、高解像度のＣＣＤカメラやＣＭＯＳカメラであるか、それらを含む。好適な実施例では、光電面３２は３０００×２２０８画素で構成され、一画素は３．５ミクロンである。この小さな画素サイズのＣＭＯＳカメラでは、飽和容量は２１０００電子量まで削減され、飽和レベルでは最低４３．２ｄＢのショット雑音となる。
【００７１】
イメージセンサ３０の例は、ＩＥＥＥ１３９４のＦｉｒｅ  Ｗｉｒｅによってコントローラ５０に連結されたＰｉｘｅｌｉｎｋ  ＰＬ−Ａ７８１  ３０００×２２０８画素のカメラであるか、それを含む。アプリケーションはＤＬＬのＰｉｘｅｌｉｎｋライブラリによって提供されるＡＰＩを呼び出し、カメラを制御するとともに撮像する。実施例では、イメージセンサ３０は、顔部４４に照射する照射システム６０の動作と、イメージセンサ３０による顔部の像４４’の撮像とを同期させるのに用いられる上記ＧＰＯ  ＳGPOを提供する。
【００７２】
＜コントローラ＞
上述のように、コントローラ５０はＩ−Ｒシステム１０の動作を制御する構成であり、イメージセンサ３０から原デジタル画像を取得し処理する画像処理部５４を備える。例示のコントローラは図１４に概略的に示されている。実施例では、コントローラ５０は、プロセッサを有するコンピュータであるかそれを含み、マイクロソフトのＷＩＮＤＯＷＳ（登録商標）やＬＩＮＵＸ等のオペレーティングシステムを有する。
【００７３】
実施例では、画像処理部５４は一連のソフトウエアの命令を実行することができるプロセッサや装置であるかそれを含み、汎用又は専用マイクロプロセッサ、有限状態マシン、コントローラ、コンピュータ、中央演算処理装置（ＣＰＵ）、フィールド・プログラマブル・ゲートアレイ（ＦＰＧＡ）、或いはデジタル信号プロセッサ等を備え、制限はない。実施例では、プロセッサは、インテルＸＥＯＮやペンティアム（登録商標）のプロセッサ、ＡＭＤ  ＴＵＲＩＯＮや、ＡＭＤ社、インテル社等の半導体プロセッサの製造業者によって製造されたプロセッサに該当するものである。
【００７４】
コントローラ１０はまた、好適には画像処理部５０と動作可能に連結された記憶部（「メモリ」）３１０を備える。ここで用いるように、「メモリ」という用語はプロセッサ読み取り可能な媒体であれば何でもよく、ＲＡＭ、ＲＯＭ、ＥＰＲＯＭ、ＰＲＯＭ、ＥＥＰＲＯＭ、ディスク、フロッピィディスク、ハードディスク、ＣＤ−ＲＯＭ、ＤＶＤ等、画像処理部５４により実行可能な一連の命令を格納できるものを含むが、これらに限定されない。実施例では、コントローラ５０は、ＣＤ−ＲＯＭ、ＤＶＥ、メモリスティック等の記憶媒体であるリムーバブルなプロセッサ読み取り可能な媒体３１６を収容するためのディスクドライブ３２０を備える。
【００７５】
本発明の虹彩認証方法は、Ｉ−Ｒシステム１０を動作させることを含み、コントローラ５０にＩ−Ｒシステムを動作させる方法及び制御動作を実行する機械読み取り可能な命令（例えば、コンピュータプログラム及び／又はソフトウエアモジュール）を備える機械読み取り可能な媒体（メモリ３１０等）によって各実施形態において実行されてもよい。実施例では、メモリ３１０からのコンピュータプログラムを画像処理部５４で実行させる。コンピュータプログラムはまた、リムーバブルな媒体３１６に記録されている場合のディスクドライブ３２０、コントローラ５０外で記録されている場合のネットワーク通信や最新の通信、読み出し及び利用が可能な他のタイプのコンピュータ若しくは機械読み取り可能な媒体を介して、不揮発性記憶からメインメモリへ転送されてもよい。
【００７６】
コンピュータプログラム及び／又はソフトウエアモジュールは、本発明の様々な方法を実行する多様なモジュール又はオブジェクトを備えていてもよく、Ｉ−Ｒシステム１０の各部の動作及び機能を制御する。コードに用いられるコンピュータプログラミング言語の種類は、手続き型言語からオブジェクト指向型言語まで多様であってもよい。ファイル又はオブジェクトは、プログラマの好みに応じて記述されたモジュールや手順に一対一に対応している必要はない。更に、方法及び装置は、ソフトウエア、ハードウエア及びファームウエアの組合せからなっていてもよい。ファームウエアは画像処理部５４にダウンロードして本発明の各実施例を実行してもよい。
【００７７】
コントローラ５０はまた、多彩な英数字及び図形表現を用いた情報を表示するのに用いることができるディスプレイ３３０を有する。例えば、ディスプレイ３３０は処理後の虹彩画像の表示や、比較した虹彩イメージに基づく認証結果の通知に便利である。コントローラ５０はまた、キーボード等のデータ入力装置３３２を備えていてもよい。同装置により、Ｉ−Ｒシステム１０のユーザは、情報をコントローラ５０に入力したり（例えば、Ｉ−Ｒシステムにより検査する人の名前）、Ｉ−Ｒシステムの動作を手動で制御したりすることができる。
【００７８】
＜画像処理＞
画像処理５４は、顔部の原像４４’を含む電気的信号をイメージセンサ３０から取得し、その原画像を処理して高コントラストの処理後イメージを生成する。これは、空間周波数ｆに関し連続的に減少する平滑関数のＭＴＦを回復させ、好適にはオーバシュート、リンギング等の画像のアーチクラフトを回避するように原画像をフィルタリングすることにより達成される。
【００７９】
ノイズ増幅は信号を鮮鋭にするためのフィルタリング処理（例えば、デジタル光学イメージのコントラストを上げる等）ではしばしば問題となる。したがって、ノイズのパワースペクトルを考慮した最適化した利得関数（ウィナーフィルタと同様）を本発明に適用して、コントラスト向上処理時のノイズ増幅を削減する。
【００８０】
「向上した」ＭＴＦを生成するために「生」のＭＴＦに適用される利得関数は距離ＤHによる。距離ＤHに対するＭＴＦは、測定処理によって得られる。ここではＭＴＦは、サンプリングデフォーカスステップδF≦（１／８）（λ／ＮＡ2）を用いて予想される被写界深度の範囲内で測定し、アンダーサンプリングを避けてＭＴＦのスルーフォーカス情報の損失を防ぐ。
【００８１】
図１５は、ベストフォーカスから−５０ｍｍ及び＋５０ｍｍまでのデフォーカスにおける１０ｍｍ毎の異なるデフォーカス距離δFにある、測定された即ち「生」のＭＴＦをプロットする。各ステップのスルー・デフォーカスでは、デジタルフィルタリング機能を用いて測定されたＭＴＦに応じて処理された画像のベストのＭＴＦを回復させる。このフィルタの使用では、複数の利用可能な手段のいずれかを用いて測定されたデフォーカス量を知る必要がある。デフォーカスステップδFの間で用いられるフィルタは、隣接するフォーカスステップの線形補完である。
【００８２】
図１６は、原ＭＴＦと、上記フィルタリング処理を用いて得られ回復された（向上された）ＭＴＦの一例をプロットしたものである。異なる焦点距離の原ＭＴＦのプロットは、デフォーカスにより生じるＭＴＦの離散を示す。
【００８３】
＜ＭＴＦの回復＞
原ＭＴＦを回復又は向上させるために使用される上記ＭＴＦの利得関数は、Ｇ（ｕ，ｖ，ｄ）が与えられた３次元関数である。ここで、ｕはＸ軸に沿った空間周波数であり、ｖはＹ軸に沿った空間周波数であり、ｄは許容された拡張被写界深度ＤＯＦ内の物体の距離（よってｄは額距離ＤHに相当する）である。ＰＳＦ及びＭＴＦの回転対称により、利得関数の定義は簡略化される。すなわち以下の通りである。
【００８４】
ω2＝ｕ2＋ｖ2とするＧ’（ω、ｄ）
回転対称はまた、一般的なケースにおける複雑な関数の代わりにＧ’（ω、ｄ）を実関数とする。
【００８５】
「向上された」或いは「回復された」ＯＴＦ’は次のように定義される。
ＯＴＦ’（ｕ，ｖ，ｄ）＝Ｇ（ｕ，ｖ，ｄ）ＯＴＦ（ｕ，ｖ，ｄ）
ここで、ＯＴＦはインコヒーレントな光に関するレンズの光学的伝達関数であり、ＯＴＦ’はデジタル処理を含む撮像システムの均等ＯＴＦであり、Ｇは上記ＭＴＦの利得関数である。元の、回復されていないＭＴＦに基づく回復された、「出力された」或いは「向上された」ＭＴＦ（つまりＭＴＦ’）の関係は次の通りである。
【００８６】
ＭＴＦ’（ω，ｄ）＝Ｇ’（ω，ｄ）ＭＴＦ（ω，ｄ）
デジタル後の処理は、有効被写界深度ＤＯＦの範囲内にある任意の距離で同じＭＴＦを実現するよう最適化される。これにより、額距離ＤHが光学系２０の被写界深度ＤＯＦの範囲内にある限り、額距離ＤHに関係なく、安定的な画像品質が得られる。光学系２０は、球面収差により拡張された被写界深度ＤＯＦを有するため、Ｉ−Ｒシステム１０は頭部位置に比較的多くのバリエーションを有し、かつ虹彩認証を行うのに適した像を得ることができる。これにより、より高い信頼性と低い認証エラー率を有するＩ−Ｒシステム１０を達成できる。一定のＭＴＦスルーフォーカスはまた、拡張された被写界深度ＤＯＦにおける任意の距離において同じ像品質を提供する場合に大いに利点がある。その利点は、このシステムがデータベース部９０にイメージデータを記録するためと認証目的のためとの双方に使用されたときより大きくなる。この方法はまた、虹彩認証のために標準化された画像品質を提供することを可能にする。
【００８７】
図１６は、上記プロセス用いて得られた、代表的な出力ＭＴＦスルーフォーカスのゲインをプロットしたものである。出力ＭＴＦ’は、原ＭＴＦと利得関数の積である。図１７は、異なる焦点位置における代表的な出力ＭＴＦ’をプロットしたものである。出力ＭＴＦ’の形状は、ハイパーガウス関数に可能な限り近い。つまり、次の通りである。
【００８８】
【数１】
2010524073.tif 000008
ここで、ｎはハイパーガウスオーダであり、ωcは、原ＭＴＦが拡張された被写界深度の範囲全体で５％より高い最高周波数で設定されたカットオフ周波数である。
【００８９】
ｎ＝１の場合、出力ＭＴＦ’はガウス分布である。これにより、リンギングのオーバシュートがない、ＰＳＦ，ＬＳＦ（線広がり関数）及びＥＳＦ（エッジ広がり関数）が得られる。ｎ＞１の場合、出力ＭＴＦ’はハイパーガウス分布となる。ｎの値が更に高い場合、高い空間周波数におけるコントラストもまた高くなるが、リンギングやオーバシュートの発生が多くなる。適切な妥協点はｎ＝２である。この場合、出力ＭＴＦ’は低レベル及び中レベルの空間周波数においてよくなり、リンギングやオーバシュートも３％に制限される。これは、本願の虹彩認証への適用を含めほとんどのバイオメトリックの用途において許容し得るものである。
【００９０】
実際の出力ＭＴＦ’は、ハイパーガウス分布に可能な限り近くなり、次のように定義されるメリット関数Ｍを含む最適化処理により決定される。
【００９１】
【数２】
2010524073.tif 000009
メリット関数Ｍは、例えば、ニュートンの最適化アルゴリズムを用いて最小化される。係数Ａ０である最初の項によりハイパーガウス出力ＭＴＦ’からの逸脱を最小限にする。係数Ａ１である第２の項は電源ノイズの増幅を抑制する。係数Ａ２である第３の項はオーバシュートの増幅を抑制する。
【００９２】
電源ノイズを抑制することは重要である。出力ＭＴＦ’を得るために原ＭＴＦのゲインが高くなる距離においては、高い空間周波数において出力ＭＴＦ’の傾斜を制御して大きなオーバシュートを回避しつつ、像の信号ノイズ比とＭＴＦレベル間の妥協点を決めることができる。メリット関数Ｍにおける第３の項は、エッジ広がりの相対的オーバシュートの２乗であり、図１８に示されている。ここでは、オーバシュートはΔｏｓにより与えられる。
【００９３】
図１９は、上述のプロセスを利用して生成された出力ＭＴＦ’とともに原ＭＴＦをプロットしたものである。出力ＭＴＦ’は滑らかな形状を有し、オーバシュートや他の撮像のアーチファクトを回避している。デジタルフィルタにより加えられたゲインは、ノイズのゲインを制御しつつ最大の出力ＭＴＦ’を得られるよう最適化又は向上される。
【００９４】
実施例では、原ＭＴＦは、延長被写界深度ＤＯＦと重複する複数の異なるサンプル距離で測定される。これは、撮像中に用いられる同じスペクトルにおいて均一なインコヒーレントなバックライティングで、傾斜したエッジを用いて測定される。
【００９５】
＜撮像＞
Ｉ−Ｒシステム１０を用いた像４４’の撮像のプロセス例は次の通りである。まず、距離ＤHの測定を上述の通り行う。この測定には、コントローラ５０がレーザ２８０を作動させて人３５の額４２上にレーザスポット８０をつくることが含まれる。レーザスポット８０が検出されない場合は、被写界深度ＤＯＦに人が位置しおらず、虹彩画像が取得できないと判断される。距離の測定は人の頭部が検出されるまで繰り返される。
【００９６】
レーザスポット８０が検出されると、額距離ＤHが、Ｉ−Ｒシステムの被写界深度ＤＯＦにより定義された許容範囲内にある場合は、虹彩測定プロセスが引き続き行われる。一方、人が頭部の位置を直す必要がある場合、額距離ＤHは再度測定される。人の頭部が適切に配置されると、次いで顔部の像４４’が照射部６０の作動により撮られ、上述したように照射領域４８を形成する。照射部６０の作動とイメージセンサ３０の作動のタイミングはコントローラ５０からの電気信号Ｓ２００とイメージセンサ３０からの信号ＳPGOにより同期されるため、適切に照射がなされる。そして光電面３２は像４４’を得て、電気信号ＳＲＩにより示される上述の原デジタル電子画像に変換される。この信号はコントローラ５０の画像処理部５４に送られて、次の画像処理が行われ、上述したように、電気信号ＳＰＩにより示されるデジタル電子画像として具現化される処理後画像を生成する。
【００９７】
＜目の位置＞
両目３４Ｌ、３４Ｒの位置は、デジタル画像処理を高速化させるためにも正確に定めなければならない。正確な目の位置により、像４４’全体を処理しなければならないのではなく、デジタルプロセスを行う二つの関心領域のみ決定することができる。画像処理が必要な画素数を減らすことにより画像処理を簡略化できるとともに、画像処理演算を高速化できる。
【００９８】
両目の位置を決めることは、マルチ・メガピクセルの像４４’を得るために必要な細かいサンプリングを要しない。このため、像４４’の解像度は、３７５×２７６画素の画像を生成するのに（例えば８倍）削減することができる。実施例では、イメージセンサ３０は、低解像度と高解像度の撮像モードを切り替えることができる。視線追跡は、像の相関関数の二つのピークＰ１，Ｐ２を標準テンプレートで位置決めすることにより行う。このテンプレートは、３２×３２のマトリックスで、瞳の角膜と暗い領域とに対する反射光の明るい反射ピークをつくる。このテンプレートは、目の色に関係なく全ての目によく合う。
【００９９】
図２０は、目３４からの反射４００を示す写真であり、図２１は左右の目からの反射４００（二つの白いスポット）を示す標準目テンプレートと関連した顔部の像４４’である。図２２は、両目の位置を決定する二つのピークＰ１，Ｐ２が背景より際立っている相関プロットである。画像処理を行うための二つの関心領域は、相関のある二つのピーク位置Ｐ１，Ｐ２を中心に、５１２×５１２画素に切り取った二つの画像に削減できる。
【０１００】
＜目の動きの監視＞
人の両目の各位置を決定する他に、撮像プロセス中の目の動きや瞬き等により、片方の目又は両目に動きがあるかどうかを監視する必要がある。目の動きを監視するために、イメージセンサ３０で二つの小さな関心領域（例えば、５１２×５１２画素）を用いて連続画像（「アイモーション画像」）を撮る。撮られたアイモーション連続画像の数は、例えば、１又は２秒間で各目につき７から１０枚撮ることができる。
【０１０１】
像４４’の撮像中にアイモーション画像において瞬きが検知された場合、その特定の虹彩測定はキャンセルされる。アイモーション画像においてアイモーションが検知され、そのモーションが（ＭＴＦの低下に相当する）画像ぶれに関係する許容閾値より大きい場合、像４４’の撮像による虹彩測定は、キャンセルされる。
【０１０２】
一方、ぶれを引き起こす動き（又は閾値を下回る動き）も瞬きも検知されない場合、撮られた像４４’により虹彩測定が引き続き行われる。
【０１０３】
＜連続画像の平均化による画像ノイズの低減＞
撮像と画像処理プロセスと関係したノイズ源は二つある。第１のノイズ源は、固定パターン雑音、或いは短くＦＰノイズと呼ぶ。ＦＰノイズは、虹彩撮像のための操作条件において、イメージセンサ３０による特別な測定によって削減される。実施例では、このノイズは、固定パターン雑音をマルチレベル・マッピングすることにより削減される。各画素はキャリブレーションテーブル、例えば訂正値を有するルックアップテーブルによって訂正される。これは、各イメージセンサの個別の測定とキャリブレーションファイルの測定データの格納とを必要とする。所定のイメージセンサのための固定パターン雑音のマッピングは、純白の画像（例えば、積分球より）を撮り、像のバリエーションを測定することにより行われる。
【０１０４】
もう一つのノイズ源は、ショット雑音であり、これはランダム雑音である。ショット雑音は、電子の動きに関係したポアゾン統計によって電子機器で発生する。ショット雑音はまた、光電効果により光子が電子に変換されるとき生じる。  
【０１０５】
顔部４４を撮像して顔部の像４４’を生成することは、高解像度のイメージセンサ３０を必要とする。上述の通り、実施例においては、イメージセンサ３０は、画素サイズが３．５μｍである３０００×２２０８画素アレイを有するＣＭＯＳ又はＣＣＤカメラであるか、それを含むものである。この小さな画素サイズのＣＭＯＳカメラでは、飽和容量は２１０００電子量まで削減され、関係するショット雑音の最小値は飽和レベルでは約４３．２ｄＢである。
【０１０６】
本発明のＩ−Ｒシステムの重要な観点は、ノイズを削減する手段を含むため、ＭＴＦの質が改善され、より良質な虹彩パターンの像が得られより優れた虹彩認証が可能となる。ショット雑音のランダムな性質は、取得したＮ個の像を平均化することがノイズを削減する（つまり、ＳＮＲを向上させる）唯一の可能な手段であるということである。ノイズはＮ1/2に比例して減少する（つまり、ＳＮＲが増加する）。
【０１０７】
取得したＮ個の像を平均化することは、平均化した像が固定された物体又は景色である限り、適切なノイズ削減手段である。しかし、かかる平均化は、本願虹彩認証の場合のように物体が動く場合は問題がある。幸い、目の動きの軌跡は追うことができ、正確に測定することができる。そしてノイズ削減のための平均化プロセスは、原画像４４’を平均化する前のいかなる目の動きも対応し補償することにより利用できる。図２３は、像４４及び反射４００の動きのぶれによって示された目の動きを示した像４４’の一部を示す。図２４は、連続する目の画像に対し、反射４００の位置を追跡することにより図２３に示す目の動きの軌跡をプロットしたものである。
【０１０８】
本発明の画像平均化処理は、同じ関心領域における連続画像間の相関関数を用いる。関連する二次元の画像のシフトは、相関ピークの位置によって決められる。相関の関心領域はまぶたの動きによる乱れを回避するため、瞳孔や虹彩の領域に制限される。相関関数はフーリエ領域で処理され、高速フーリエ変換（ＦＦＴ）のアルゴリズムを用いて高速に処理される。与えられた相関関数は、最初の画像と同じサンプリング間隔でサンプリングされる。相関最大値は一画素サイズの精度で検出される。
【０１０９】
この測定技術の改良としては、最大相関ピークに関係した画素を中心とした３×３の画素中心部を利用する。サブピクセル位置は、二次元の放物線関数に合わせて最大値を
設定することにより決められる。次いで（Ｘ，Ｙ）画像シフトが決められる。画像はシフトされた位置において再度サンプリングされる。測定された（Ｘ，Ｙ）シフトの小数部が０でない場合、双線形補間が行われる。ナイキスト周波数より高い周波数で像の信号がない場合は、シャノン補間を用いてもよい。全ての像は再サンプル後まとめられ、測定された相関における（Ｘ，Ｙ）シフトが考慮される。
【０１１０】
＜瞬き及び画像平均化＞
上述の通り、瞬きによる目の動き、眼球回転及び眼球運動は、撮像プロセスに悪影響を及ぼし、また良好な処理後虹彩画像を生成する画像処理部の性能にも悪影響を及ぼす。
【０１１１】
相関関数のピークは、目の動きに関係する変化を除き、続けて取得した画像についてはほぼ一定の振幅を有する。一方、瞬きは、連続する画像群の相関振幅関数において負のパルスとして検出される。図２５は、取得した画像の番号と相関振幅とをプロットしたものである。瞬きは、画像６及び１０間に生じた相関振幅の落ち込みによって示されている。
【０１１２】
瞬きによって影響された画像が二つより多い場合、全体の撮像は破棄される。二つの画像しか影響されていない場合は、瞬きにより影響されていない画像に対して平均化プロセスを行うことができる。
【０１１３】
＜眼球回転と画像平均化＞
眼球回転は、連続する画像群の相関振幅関数に負のバリエーションを与える。原因は、眼球回転による虹彩パターンの明らかな変化であり、眼球回転では回転軸が角膜の湾曲中心に近いことから正反射位置はあまり移動しない。
【０１１４】
よって、かかる事態が生じて撮像プロセスをリスタートする場合は、全ての像は破棄することがベストである。
【０１１５】
＜ぶれの動きと画像平均化＞
眼球回転は、画像間で眼球が動いた距離が比較的大きい場合ぶれを生じさせる。実施例では、眼球移動の許容範囲は光照射時間である２０ｍｓに基づく。ＭＴＦの減少は、動きの速さＶ及び露光時間Ｔのシンク関数によって得られる。即ち、次の通りである。
【０１１６】
【数３】
2010524073.tif 000010
この式は、眼球回転により生じるＭＴＦのぶれ閾値を設定するのに利用できる。
【０１１７】
＜汎用の高被写界深度の撮像＞
本発明は、主に照射のためのＩ−Ｒシステムに関連して上述のように説明した。しかし、その他多数の撮像用途にも提供できる。例えば、携帯電話のカメラやイメージスキャン等の用途であって、多様な位置をなす物体を撮像する必要があるものや、従来の撮像システムを用いると物体の一部が焦点外であるが他の部分が焦点内であるというような軸上深度を有するものの用途である。
【０１１８】
以上の通り、当業者にとって、本発明の精神と範囲より逸脱することなく、本発明に対し多様な変更やバリエーションをなすことができることは理解されるところである。したがって、かかる変更やバリエーションが添付の請求の範囲やその均等物の範囲内に入るものであるならば、本発明は、それらの変更やバリエーションを含むことを意味する。
【０１１９】
本願は、２００７年４月６日に出願された欧州特許出願ＥＰ07300936.7号の優先権の利益を主張し、同出願は引用をもって本願に含むものとする。
【図１】
2010524073.tif 000011
【図２】
2010524073.tif 000012
【図３Ａ】
2010524073.tif 000013
【図３Ｂ】
2010524073.tif 000014
【図４Ａ】
2010524073.tif 000015
【図４Ｂ】
2010524073.tif 000016
【図４Ｃ】
2010524073.tif 000017
【図５】
2010524073.tif 000018
【図６Ａ】
2010524073.tif 000019
【図６Ｂ】
2010524073.tif 000020
【図６Ｃ】
2010524073.tif 000021
【図７】
2010524073.tif 000022
【図８】
2010524073.tif 000023
【図９】
2010524073.tif 000024
【図１０】
2010524073.tif 000025
【図１１】
2010524073.tif 000026
【図１２】
2010524073.tif 000027
【図１３】
2010524073.tif 000028
【図１４】
2010524073.tif 000029
【図１５】
2010524073.tif 000030
【図１６】
2010524073.tif 000031
【図１７】
2010524073.tif 000032
【図１８】
2010524073.tif 000033
【図１９】
2010524073.tif 000034
【図２０】
2010524073.tif 000035
【図２１】
2010524073.tif 000036
【図２２】
2010524073.tif 000037
【図２３】
2010524073.tif 000038
【図２４】
2010524073.tif 000039
【図２５】
2010524073.tif 000040
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
高被写界深度（ＤＯＦ）において人の片方又は両方の虹彩を撮像する虹彩認証（Ｉ−Ｒ）システムであって、
ｉ）撮像波長λIMで人の顔領域に照射し、同顔領域は片方又は両目と、少なくとも額部を含み、ｉｉ）前記額部にスポットを形成する照射システムと、
前記高被写界深度ＤＯＦ内に物体面を、対応した高焦点深度ＤＯＦ’内に像面を有し、イメージセンサを前記像面に配し、回折限界の前記光学系に比して前記被写界深度ＤＯＦが５０％から５００％の間の割合で増加するような撮像波長λIMの球面収差（ＳＡ）量を有する光学系であって、前記顔領域が前記被写界深度ＤＯＦ内に位置したとき、前記イメージセンサに前記顔領域の像を形成するよう構成され、前記顔領域の像は、前記額部のスポットの像を含む、光学系と、
前記イメージセンサと前記照射システムとに電気的に接続され、前記イメージセンサと前記照射システムの動作を制御し調整し、前記顔領域の像に画像処理を施して、前記額部のスポットから得られたる額距離情報を使用して生成した向上変調伝達関数（ＭＴＦ）に基づき、片方又は両方の虹彩の向上させた像を生成する、コントローラと、
を備えるＩ−Ｒシステム。
【請求項２】
前記球面収差ＳＡ量は、ｉ）０．２λIM≦ＳＡ≦５λIM、ｉｉ）０．２λIM≦ＳＡ≦０．９λIM、及びｉｉｉ）０．２λIM≦ＳＡ≦０．７５λIM、のうち少なくとも一つの関係式を満たす、
請求項１に記載のＩ−Ｒシステム。
【請求項３】
前記イメージセンサは、前記イメージセンサに形成された顔の原画像を示す、電子信号ＳＲＩを生成する、
請求項１に記載のＩ−Ｒシステム。
【請求項４】
前記コントローラは、前記電子信号ＳＲＩを受信及び処理して、前記原画像のコントラストより高いコントラストを有する片方又は両方の虹彩の向上させた像を生成する画像処理部を有する、
請求項３記載のＩ−Ｒシステム。
【請求項５】
前記画像処理部に電子的に接続され、一以上の向上されたコントラストの画像をコンピュータ読み取り可能な媒体に読み出し可能に格納するデータベースを更に有する、
請求項４に記載のＩ−Ｒシステム。
【請求項６】
前記照射システムは、前記顔領域に照射する第１の光源と、前記額部のスポットを形成する第２の光源とを有する、
請求項１に記載のＩ−Ｒシステム。
【請求項７】
前記光学系は、単一の光学要素と、コマ収差を最小化する位置に配された開口絞りとからなる、
請求項１に記載のＩ−Ｒシステム。
【請求項８】
人の少なくとも一方の虹彩の向上させた像を生成する方法であって、
人の少なくとも片方の目と人の額部とを含む人の顔領域の原画像を、回折限界の光学系に比して光学系の被写界深度（ＤＯＦ）を５０％から５００％の間の割合で増加させる球面収差を有する光学系を使用して生成し、
前記原画像を電子的に撮り、対応する原変調伝達関数（ＭＴＦ）を有するデジタル化した原画像を生成するイメージセンサを使用し、
前記光学系に対する人の位置に基づき、前記デジタル化された原画像における所定のデフォーカス量を決め、
前記原ＭＴＦに利得関数をかけることにより、前記原ＭＴＦから、前記デフォーカス量の関数である向上ＭＴＦを生成し、
前記向上ＭＴＦを前記デジタル化した原画像に付与して向上させた画像を得る、
方法。
【請求項９】
前記光学系は、単一の光学要素と、コマ収差を最小化する位置に配された開口絞りとからなる、
請求項８に記載の方法。
【請求項１０】
前記人の額部にスポットを形成し、前記原画像における前記スポットの位置に基づき前記デフォーカス量を決めることにより、前記デフォーカス量を決定することを含む、請求項８に記載の方法。
【請求項１１】
Ｎ数の原画像を撮り、前記原画像を分析して片方又は両方の目に動きがあったか、且つ／又は瞬きがあったかを判断することを含む、
請求項８に記載の方法。
【請求項１２】
前記目の動きを追跡し、前記目の動きに対応し前記向上させた画像を生成するために用いられる前記イメージセンサの領域を特定することを含む、
請求項１１に記載の方法。
【請求項１３】
人と前記光学系との間の距離を測定し、
前記向上させたＭＴＦを生成することは、測定した距離に応じて前記原ＭＴＦに二次元線形デジタルフィルタを付与することを含む、
請求項８に記載の方法。
【請求項１４】
向上ＤＯＦ撮像システムであって、
回折限界の光学系に比して被写界深度ＤＯＦが５０％から５００％の間の割合で増加するような撮像波長λIMの球面収差（ＳＡ）量を有する光学系であって、物体が前記ＤＯＦ内にあり且つ光学系から所定の距離にあるとき、像面に物体の像を生成するように構成されている光学系と、
前記像面に配され、原画像としての画像を示す電気信号を生成するイメージセンサと、
を備える、撮像システム。
【請求項１５】
前記光学系は、単一の光学要素と、コマ収差を最小化する物体側の位置に配された開口絞りとからなる、
請求項１４に記載の撮像システム。
【請求項１６】
前記イメージセンサに電気的に接続され、電気信号を受信し、前記物体の距離に基づき生成された向上変調伝達関数（ＭＴＦ）を使用して前記原画像に画像処理を行って向上させた画像を生成するコントローラ、
を更に備える、請求項１４に記載の撮像システム。
【国際調査報告】
2010524073.tif 000041
2010524073.tif 000042
2010524073.tif 000043
2010524073.tif 000044
2010524073.tif 000045
2010524073.tif 000046